【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
遊技球が落下する球抜き孔が底部に形成された受皿が前面に配設された遊技機において、
遊技者に操作される操作部と、
その操作部に連係して前記球抜き孔を開閉する複数の閉鎖部材と、
その閉鎖部材により前記球抜き孔の閉鎖の状態を切り換える切換手段とを備え、
その切換手段により前記球抜き孔の閉鎖の状態は、
前記閉鎖部材により前記遊技球を落下不能に前記球抜き孔が閉鎖される閉鎖状態と、
その閉鎖状態に対し前記遊技球を落下可能に前記球抜き孔の一部が開放される第１開放状態と、
その第１開放状態により開放される前記球抜き孔の一部とは異なる部分が前記遊技球を落下可能に開放される第２開放状態とに少なくとも切り換えられ、
前記閉鎖部材は、上面が、前記球抜き孔の開放された一部に向かって前記球抜き孔の縁部から下降傾斜していることを特徴とする遊技機。
【請求項２】
前記底部は、上面が、前記球抜き孔の縁部に向かって下降傾斜していることを特徴とする請求項１記載の遊技機。
【請求項３】
前記底部は、前記球抜き孔に至るまで奥から手前に向かって下降傾斜していることを特徴とする請求項２記載の遊技機。
【請求項４】
前記閉鎖部材は、前記底部に対する傾斜角度を略一定に維持した状態でスライドされ前記球抜き孔を開閉することを特徴とする請求項１から３のいずれかに記載の遊技機。
【請求項５】
前記閉鎖部材または前記底部は、前記遊技球の所定方向への移動を規制し所定方向から前記球抜き孔へ流下される前記遊技球の移動を規制する移動規制手段を備えていることを特徴とする請求項１から４のいずれかに記載の遊技機。
【手続補正２】
【補正対象書類名】明細書
【補正対象項目名】０００７
【補正方法】変更
【補正の内容】
【０００７】
この目的を達成するために請求項１記載の遊技機は、遊技球が落下する球抜き孔が底部に形成された受皿が前面に配設された遊技機において、遊技者に操作される操作部と、その操作部に連係して前記球抜き孔を開閉する複数の閉鎖部材と、その閉鎖部材により前記球抜き孔の閉鎖の状態を切り換える切換手段とを備え、その切換手段により前記球抜き孔の閉鎖の状態は、前記閉鎖部材により前記遊技球を落下不能に前記球抜き孔が閉鎖される閉鎖状態と、その閉鎖状態に対し前記遊技球を落下可能に前記球抜き孔の一部が開放される第１開放状態と、その第１開放状態により開放される前記球抜き孔の一部とは異なる部分が前記遊技球を落下可能に開放される第２開放状態とに少なくとも切り換えられ、前記閉鎖部材は、上面が、前記球抜き孔の開放された一部に向かって前記球抜き孔の縁部から下降傾斜している。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２記載の遊技機は、請求項１記載の遊技機において、前記底部は、上面が、前記球抜き孔の縁部に向かって下降傾斜している。
【手続補正５】
【補正対象書類名】明細書
【補正対象項目名】００１０
【補正方法】変更
【補正の内容】
【００１０】
請求項３記載の遊技機は、請求項２記載の遊技機であって、前記底部は、前記球抜き孔に至るまで奥から手前に向かって下降傾斜している。
【手続補正６】
【補正対象書類名】明細書
【補正対象項目名】００１１
【補正方法】変更
【補正の内容】
【００１１】
請求項４記載の遊技機は、請求項１から３のいずれかに記載の遊技機において、前記閉鎖部材は、前記底部に対する傾斜角度を略一定に維持した状態でスライドされ前記球抜き孔を開閉する。
【手続補正７】
【補正対象書類名】明細書
【補正対象項目名】００１２
【補正方法】変更
【補正の内容】
【００１２】
請求項５記載の遊技機は、請求項１から４のいずれかに記載の遊技機において、前記閉鎖部材または前記底部は、前記遊技球の所定方向への移動を規制し所定方向から前記球抜き孔へ流下される前記遊技球の移動を規制する移動規制手段を備えている。
【手続補正８】
【補正対象書類名】明細書
【補正対象項目名】０２１９
【補正方法】変更
【補正の内容】
【０２１９】
遊技機１８によれば、球抜き孔に向かって下降傾斜する底部の傾斜領域により、遊技球は球抜き孔に向かって転がっていく。移動規制手段が傾斜領域に形成されることにより、球抜き孔に向かって転がる遊技球の速度を、操作部の動作に連動して異ならせることができる。移動規制手段の有無に連動して球抜き孔に流下する遊技球の速度を異ならせることで、球抜き孔から収容箱に落下する遊技球の落下点と球抜き孔との水平距離を異ならせることができる。これにより遊技機１７の奏する効果に加え、遊技球が収容箱に落下して到達できる範囲を広くし、遊技球が収容箱の一箇所に高く積もることを防止できる効果がある。
＜その他＞
遊技球を使用して遊技を行う遊技機の代表例としてパチンコ機がある。このパチンコ機の前面には、払い出された遊技球を貯留するための受皿が設けられている。受皿の底面には開閉可能な球抜き孔が形成されているので、遊技球で受皿が満杯になった場合には、受皿の下方に遊技球の収容箱を載置して、球抜き孔を開放することで受皿に貯留された遊技球を収容箱に移すことができる。
しかし、球抜き孔から収容箱に落下した遊技球は球抜き孔の下方部分に高く積もることになるので、この状態を放置すると、高く積もった部分から遊技球が収容箱の外に溢れ出てしまう。それを防ぐために、遊技者は手で遊技球を平らに均さなければならず面倒であった。そこで、モータにより球抜き孔を移動させて落下する遊技球を散らし、遊技球が一箇所に高く積もらないようにする技術がある（特許文献１：特開平１０−１７９８７４号公報）。
しかしながら、上記のようなパチンコ機では、球抜き孔を移動させるためのモータを設ける必要があり、機構が複雑化するという問題点があった。
本技術的思想は、上記例示した問題点等を解決するためになされたものであり、受皿に貯留された遊技球を簡易な機構で散らして落下させることができる遊技機を提供することを目的としている。
＜手段＞
この目的を達成するために技術的思想１記載の遊技機は、遊技球が落下する球抜き孔が底部に形成された受皿が前面に配設された遊技機において、遊技者に操作される操作部と、その操作部に連係して前記球抜き孔を開閉する複数の閉鎖部材と、その閉鎖部材により前記球抜き孔の閉鎖の状態を切り換える切換手段とを備え、その切換手段により前記球抜き孔の閉鎖の状態は、前記閉鎖部材により前記遊技球を落下不能に前記球抜き孔が閉鎖される閉鎖状態と、その閉鎖状態に対し前記遊技球を落下可能に前記球抜き孔の一部が開放される第１開放状態と、その第１開放状態により開放される前記球抜き孔の一部とは異なる部分が前記遊技球を落下可能に開放される第２開放状態とに少なくとも切り換えられる。
技術的思想２記載の遊技機は、技術的思想１記載の遊技機において、前記閉鎖部材は、上面が、前記球抜き孔の開放された一部に向かって前記球抜き孔の縁部から下降傾斜している。
技術的思想３記載の遊技機は、技術的思想１又は２に記載の遊技機において、前記底部は、上面が、前記球抜き孔の縁部に向かって下降傾斜している。
技術的思想４記載の遊技機は、技術的思想３記載の遊技機であって、前記底部は、前記球抜き孔に至るまで奥から手前に向かって下降傾斜している。
技術的思想５記載の遊技機は、技術的思想１から４のいずれかに記載の遊技機において、前記閉鎖部材は、前記底部に対する傾斜角度を略一定に維持した状態でスライドされ前記球抜き孔を開閉する。
技術的思想６記載の遊技機は、技術的思想１から５のいずれかに記載の遊技機において、前記閉鎖部材または前記底部は、前記遊技球の所定方向への移動を規制し所定方向から前記球抜き孔へ流下される前記遊技球の移動を規制する移動規制手段を備えている。
＜効果＞
本技術的思想によれば、受皿に貯留された遊技球を簡易な機構で散らして落下させることができる。